(57)【要約】      （修正有）【課題】補強帯状部の紐用貫通孔の周縁部における破損を抑えることができる屋根シート体を提供する。【解決手段】屋根状に被うためのシート本体２４を備え、このシート本体２４の両側部に長手方向に延びる一対の補強帯状部２６，２８が設けられ、これら補強帯状部２６，２８に間隔をおいて複数の紐用貫通孔３０，３２が設けられた屋根シート体。一対の補強帯状部２６，２８の複数の紐用貫通孔３０，３２に対応して幅方向に延びる帯状部材４２が配設され、シート本体２４の幅方向における帯状部材４２の両端部には、一対の補強帯状部２６，２８の対応する紐用貫通孔３０，３２に連通する紐用連通孔４４，４８が設けられ、これら補強帯状部２６，２８の紐用貫通孔３０，３２及び紐用連通孔４４，４８を通して結付け部材（結付け用紐など）が取り付けられる。【選択図】図３
2019187344.tif 000002
【特許請求の範囲】
【請求項１】
屋根状に被うためのシート本体を備え、前記シート本体の両側部に長手方向に延びる一対の補強帯状部が設けられ、前記一対の補強帯状部に相互に対応して間隔をおいて複数の紐用貫通孔が設けられた屋根シート体において、
前記一対の補強帯状部の前記複数の紐用貫通孔に対応して幅方向に延びる帯状部材が配設され、前記シート本体の前記幅方向における前記帯状部材の両端部には、前記一対の補強帯状部の対応する紐用貫通孔に連通する紐用連通孔が設けられていることを特徴とする屋根シート体。
【請求項２】
前記帯状部材は前記シート本体の外側に配設され、前記帯状部材の一端側は、前記シート本体の一方の補強帯状部を上側から下側に巻くように折り返され、その他端側は、前記シート本体の他方の補強帯状部を上側から下側に巻くように折り返され、前記シート本体の前記幅方向における前記帯状部材の一端部に、前記一方の補強帯状部の前記対応する紐用貫通孔に連通する片側紐用連通孔が設けられ、その前記幅方向における前記帯状部材の他端部に、前記他方の補強帯状部の前記対応する紐用貫通孔に連通する他側紐用連通孔が設けられていることを特徴とする請求項１に記載の屋根シート体。
【請求項３】
前記帯状部材は前記シート本体の内側に配設され、前記帯状部材の一端側は、前記シート本体の一方の補強帯状部を下側から上側に巻くように折り返され、その他端側は、前記シート本体の他方の補強帯状部を下側から上側に巻くように折り返され、前記シート本体の前記幅方向における前記帯状部材の一端部に、前記一方の補強帯状部の前記対応する紐用貫通孔に連通する片側紐用連通孔が設けられ、その前記幅方向における前記帯状部材の他端部に、前記他方の補強帯状部の前記対応する紐用貫通孔に連通する他側紐用連通孔が設けられていることを特徴とする請求項１に記載の屋根シート体。
【請求項４】
前記帯状部材は、前記シート本体を前記幅方向に巻くように配設され、前記帯状部材の一端側は、前記シート本体の一方の補強帯状部を下側から上側に巻くように折り返され、その他端側は、前記一方の補強帯状部及び前記帯状部材の一端側を上側から下側に巻くように折り返され、前記シート本体の前記幅方向における前記帯状部材の一端部に、前記一方の補強帯状部の前記対応する紐用貫通孔に連通する片側紐用連通孔が設けられ、その前記幅方向における前記帯状部材の他端部に、前記他方の補強帯状部の前記対応する紐用貫通孔に連通する他側紐用連通孔が設けられていることを特徴とする請求項１に記載の屋根シート体。
【請求項５】
屋根状に被うためのシート本体を備え、前記シート本体の両側部に長手方向に延びる一対の補強帯状部が設けられ、前記一対の補強帯状部に間隔をおいて複数の紐用貫通孔が設けられた屋根シート体において、
前記一対の補強帯状部の前記複数の紐用貫通孔の各々に対応して、各紐用貫通孔を挟むように補強片が折り返えすように設けられ、前記補強片には、対応する紐用貫通孔に連通する紐用連通孔が設けられていることを特徴とする屋根シート体。
【請求項６】
複数の主支柱を所定方向に間隔をおいて設け、前記複数の主支柱間に支持ワイヤを張設する支柱設置・ワイヤ張設工程と、前記複数の主支柱の両側に前記所定方向に延びるように結付け部材を設ける結付け部材配設工程と、屋根状に覆うためのシート本体に幅方向に帯状部材を取り付ける帯状部材取付工程と、前記シート本体の前記幅方向における前記帯状部材の両端部に、前記一対の補強帯状部の対応する紐用貫通孔に対応して紐用連通孔を設ける連通孔穿設工程と、前記シート本体の前記補強帯状部の前記紐用貫通孔及び前記帯状部材の前記紐用連通孔を通して結付け用紐を取り付ける紐取付け工程と、前記複数の主支柱及び前記支持ワイヤに前記シート本体を被せるシート本体被せ工程と、前記シート本体被せ工程の後に、前記シート本体を張りながら前記結付け用紐を前記結付け部材に結び付ける紐結付け工程と、を含むことを特徴とする屋根シート体の敷設方法。
【請求項７】
前記シート本体は、請求項２〜４のいずれかに記載の屋根シート体におけるシート本体であることを特徴とする請求項６に記載の屋根シート体の敷設方法。
【発明の詳細な説明】
【技術分野】
【０００１】
本発明は、果実の木などを覆うために用いる屋根シート体及びその敷設方法に関する。
【背景技術】
【０００２】
ビニールハウスなどに用いる屋根シート体として、屋根状に被うためのシート本体を備えたものが知られている（例えば、特許文献１参照）。この屋根シート体では、シート本体の両側部に長手方向に延びる一対の補強帯状部が設けられ、これら補強帯状部に相互に対応して間隔をおいて複数の紐用貫通孔が設けられ、各紐用貫通孔の各々に結付け用紐が取り付けられる。
【０００３】
このような屋根シート体は、例えば、次のようにしてビニールハウスの支持パイプに取り付けられる。例えば、略半円状の支持パイプを所定方向に間隔をおいて設置し、これら支持パイプを覆うように屋根シート体を被せる。また、複数の支持パイプの両端部に紐結び部材（例えば、紐結びパイプ）を例えば連結ワイヤ（又は連結紐）などで取り付け、屋根シート体の一側端側を引っ張りながらこの一側端側の結付け用紐を片側の紐結び部材に結び付け、またその他側端側を引っ張りながらこの他側端側の結付け用紐を他側の紐結び部材に結び付け、このように屋根シート体を取り付けてビニールハウスを組み立てることができる。
【先行技術文献】
【特許文献】
【０００４】
【特許文献１】実開昭５７−７２２６６号公報
【発明の概要】
【発明が解決しようとする課題】
【０００５】
このような屋根シート体では、シート本体の補強帯状部は、シート本体の側端部を折り曲げ、この折り曲げた折曲部を溶着して形成される。そして、この補強帯状部の紐用貫通孔を通して結付け用紐が取り付けられ、支持パイプを被うように屋根シート体を取り付けるときに、かかる結付け用紐が紐結び部材（例えば、紐結びパイプ）に結び付けられる。
【０００６】
この屋根シート体を張った状態においては、ビニールハウスの下側部分（即ち、屋根シート体と地面との間）が開放され、屋根シート体の内側に風が流れ込む構造であるので、例えば強い風が吹いたときには、屋根シート体内に流れ込んだ風によって、この屋根シート体が浮き上がって大きく揺れるようになる。このような屋根シート体の揺れは、結付け用紐を介して抑えられ、屋根シート体が吹き飛ぶのを防止しているが、この結付け用紐に作用する力は補強帯状部の紐用貫通孔の周縁部に集中し、かかる集中力が大きくなるとかかる紐用貫通孔の周縁部が破損するおそれがあり、この周縁部が大きく破損した場合に屋根シート体の全体を取り替えなければならなくなる。
【０００７】
本発明の第１目的は、補強帯状部の紐用貫通孔の周縁部における破損を抑えることができる屋根シート体を提供することである。
【０００８】
本発明の他の目的は、風に対して破損し難い屋根シート体の敷設方法を提供することである。
【課題を解決するための手段】
【０００９】
本発明によれば、上記第１の目的に対応して、屋根状に被うためのシート本体を備え、前記シート本体の両側部に長手方向に延びる一対の補強帯状部が設けられ、前記一対の補強帯状部に相互に対応して間隔をおいて複数の紐用貫通孔が設けられた屋根シート体において、
前記一対の補強帯状部の前記複数の紐用貫通孔に対応して幅方向に延びる帯状部材が配設され、前記シート本体の前記幅方向における前記帯状部材の両端部には、前記一対の補強帯状部の対応する紐用貫通孔に連通する紐用連通孔が設けられていることを特徴とする屋根シート体が提供される。
【００１０】
また、本発明によれば、上記第１の目的に対応して、屋根状に被うためのシート本体を備え、前記シート本体の両側部に長手方向に延びる一対の補強帯状部が設けられ、前記一対の補強帯状部に間隔をおいて複数の紐用貫通孔が設けられた屋根シート体において、
前記一対の補強帯状部の前記複数の紐用貫通孔の各々に対応して、各紐用貫通孔を挟むように補強片が折り返すように設けられ、前記補強片には、対応する紐用貫通孔に連通する紐用連通孔が設けられていることを特徴とする屋根シート体が提供される。
【００１１】
更に、本発明によれば、上記第２の目的に対応して、複数の主支柱を所定方向に間隔をおいて設け、前記複数の主支柱間に支持ワイヤを張設する支柱設置・ワイヤ張設工程と、前記複数の主支柱の両側に前記所定方向に延びるように結付け部材を設ける結付け部材配設工程と、屋根状に覆うためのシート本体に幅方向に帯状部材を取り付ける帯状部材取付工程と、前記シート本体の前記幅方向における前記帯状部材の両端部に、前記一対の補強帯状部の対応する紐用貫通孔に対応して紐用連通孔を設ける連通孔穿設工程と、前記シート本体の前記補強帯状部の前記紐用貫通孔及び前記帯状部材の前記紐用連通孔を通して結付け用紐を取り付ける紐取付け工程と、前記複数の主支柱及び前記支持ワイヤに前記シート本体を被せるシート本体被せ工程と、前記シート本体被せ工程の後に、前記シート本体を張りながら前記結付け用紐を前記結付け部材に結び付ける紐結付け工程と、を含むことを特徴とする屋根シート体の敷設方法が提供される。
【発明の効果】
【００１２】
本発明の屋根シート体によれば、シート本体の両側部に長手方向に延びる一対の補強帯状部が設けられ、これら一対の補強帯状部に相互に対応して間隔をおいて複数の紐用貫通孔が設けられている。また、一対の補強帯状部の複数の紐用貫通孔に対応して幅方向に延びる帯状部材が配設され、シート本体の幅方向における帯状部材の両端部には、一対の補強帯状部の対応する紐用貫通孔に連通する紐用連通孔が設けられているので、この紐用貫通孔及び紐用連通孔を通して結付け用紐が取り付けられ、従って、この結付け用紐の取付部位においては少なくとも帯状部材を重ねた構造となり、これによって、補強帯状部の紐用貫通孔の周縁部における破損を抑えることができる。例えば、この補強帯状部がシート本体を折り曲げた二重構造である場合、この二重構造に少なくとも帯状部材を重ねた三重構造となる。
【００１３】
この帯状部材をシート本体の外側に配設し、帯状部材の一端側においてはシート本体の一方の補強帯状部を上側から下側に巻くように折り返し、その他端側においてはシート本体の他方の補強帯状部を上側から下側に巻くように折り返し、このシート本体の幅方向における帯状部材の両端部に、紐用貫通孔に連通する紐用連通孔を設けるのが好ましい。このように構成した場合、この結付け用紐の取付部位においては帯状部材が補強帯状部を挟むように二重に配設され、これによって、補強帯状部の紐用貫通孔の周縁部における破損をより効果的に抑えることができる。例えば、この補強帯状部がシート本体を折り返した二重構造である場合、この二重構造に帯状部材を二重に重ねた四重構造となる。
【００１４】
また、このような構成では、シート本体の外側を被うように帯状部材が配設されるので、シート本体内に風が流れ込んでも、この帯状部材がシート本体の浮き上がりを抑え、浮き上がりによるシート本体（特に、補強帯状部の周縁部）の破損をより少なくすることができる。
【００１５】
また、この帯状部材をシート本体を幅方向に巻くように配設し、帯状部材の一端側においてはシート本体の一方の補強帯状部を下側から上側に巻くように折り返し、その他端側においては一方の補強帯状部及び帯状部材の一端側を上側から下側に巻くように折り返し、シート本体の幅方向における帯状部材の両端部に、紐用貫通孔に連通する紐用連通孔を設けるようにするのがより好ましい。このように構成した場合、一方の補強帯状部においては、この結付け用紐の取付部位にて帯状部材の一端側が補強帯状部を挟むように二重に配設されるとともに、その他端側がシート本体及び帯状部材の一端側を挟むように二重に配設される。また、他方の補強帯状部においては、この結付け用紐の取付部位にて帯状部材の中間部が他方の補強帯状部を包むように二重に配設される。従って、このように構成しても、一対の補強帯状部の紐用貫通孔の周縁部における破損をより少なく抑えることができる。
【００１６】
例えば、シート本体の一方の補強帯状部がシート本体を折り返した二重構造である場合、この二重構造に帯状部材の一端側を二重に重ね、更にその他端側を二重に重ねた六重構造となる。また、シート本体の他方の補強帯状部がシート本体を折り返した二重構造である場合、この二重構造に帯状部材の中間部を二重に重ねた四重構造となる。
【００１７】
また、このような構成では、シート本体を幅方向に巻くように帯状部材が配設されるので、この帯状部材がシート本体を挟むようになり、従って、風が流れ込んだ際におけるシート本体の浮き上がりをより効果的に抑え、浮き上がりによるシート本体（特に、補強帯状部の周縁部）の破損をより一層少なくすることができる。
【００１８】
この帯状部材をシート本体の内側に配設し、帯状部材の一端側においては、シート本体の一方の補強帯状部を下側から上側に巻くように折り返し、その他端側においては、シート本体の他方の補強帯状部を下側から上側に巻くように折り返し、シート本体の幅方向における帯状部材の両端部に、紐用貫通孔に連通する紐用連通孔を設けるようにしてもよく、このように構成した場合、この結付け用紐の取付部位においては帯状部材が補強帯状部を挟むように二重に配設され、これによって、補強帯状部の紐用貫通孔の周縁部における破損をより効果的に抑えることができる。
【００１９】
また、本発明の屋根シート体によれば、シート本体の両側部に長手方向に延びる一対の補強帯状部が設けられ、一対の補強帯状部に間隔をおいて複数の紐用貫通孔が設けられている。また、一対の補強帯状部の複数の紐用貫通孔の各々に対応して、各紐用貫通孔を挟むように補強片が折り返すように設けられ、この補強片には、対応する紐用貫通孔に連通する紐用連通孔が設けられているので、この紐用貫通孔及び紐用連通孔を通して結付け用紐が取り付けられ、従って、この結付け用紐の取付部位においては、補強片が二重に配設されるようになり、これによって、補強帯状部の紐用貫通孔の周縁部における破損を抑えることができる。例えば、この補強帯状部がシート本体を折り返した二重構造である場合、この二重構造に帯状部材を二重に重ねた四重構造となる。
【００２０】
また、本発明の屋根シート体の敷設方法によれば、シート本体に幅方向に帯状部材を取り付け（帯状部材取付工程）、シート本体の幅方向における帯状部材の両端部に、紐用貫通孔に対応して紐用連通孔を設け（連通孔穿設工程）、これら紐用貫通孔及び紐用連通孔を通して結付け用紐を取り付け（紐取付け工程）、複数の主支柱及び支持ワイヤにシート本体を被せた（シート本体被せ工程）後に、シート本体を張りながら結付け用紐を結付け部材に結び付ける（紐結付け工程）ので、補強帯状部の結付け用紐の取付部位においては少なくとも帯状部材を重ねた構造となり、これによって、補強帯状部の紐用貫通孔の周縁部における破損を抑えることができる。
【図面の簡単な説明】
【００２１】
【図１】本発明に従う屋根シート体の第１の実施形態を取り付けるための支持構造を示す簡略斜視図。
【図２】第１の実施形態の屋根シート体を取り付けた状態を示す簡略断面図。
【図３】図２の屋根シート体を示す平面図。
【図４】図２の屋根シート体の折曲げ構造を説明するための部分断面図。
【図５】第２の実施形態の屋根シート体の折曲げ構造を説明するための部分断面図。
【図６】第３の実施形態の屋根シート体の折曲げ構造を説明するための部分断面図。
【図７】第４の実施形態の屋根シート体の折曲げ構造を説明するための部分断面図。
【図８】図８（ａ）は、従来の屋根シート体の折曲げ構造を説明するための部分断面図、図８（ｂ）は、従来の屋根シート体の紐用貫通孔及びその近傍を示す部分断面図。
【発明を実施するための形態】
【００２２】
以下、添付図面を参照して、本発明に従う屋根シート体の各種実施形態及び屋根シート体の敷設方法の一例について説明する。まず、図１〜図４を参照して、第１の実施形態の屋根シート体及びその敷設方法について説明する。
【００２３】
図１及び図２において、図示の屋根シート体２を取り付けるための支持構造４は、所定方向（ビニールハウスの長手方向であって、図１において左下から右上の方向、図２において紙面に対して垂直な方向）に間隔をおいて配設された主支柱６が配設され、これら主支柱６の下端部が地面Ｅに埋設される。これら主支柱６の頂部には半球状のシート載置部８が設けられ、これらシート載置部８（即ち、主支柱６）間に支持ワイヤ１０が張設され、屋根シート体２は、図１に一点鎖線で示すとともに、図２に示すように、複数の主支柱６及びこれらの間に張設された支持ワイヤ１０に載置支持される。このような主支柱６は、図１に示すように、地面Ｅに植えられた果実の木、例えばぶどうの木１２の間に配設される。
【００２４】
複数の主支柱６の両側には、例えば補助支柱１４が上記所定方向に間隔をおいて設けられ、これら補助支柱１４の間に結付け部材としての結付けワイヤ１６が張設される。これら補助支柱１４の高さは、主支柱６の１／３〜１／２程度であり、これらの下端部も地面Ｅに埋設される。尚、補助支柱１４に結付けワイヤ１６を巻いて張設することに代えて、補助支柱１４に例えば取付けワイヤ（図示せず）を用いて結付け部材としての結付けパイプ（図示せず）を取り付け、これら補助支柱１４間に結付けパイプを設けるようにしてもよい。
【００２５】
この実施形態では、主支柱６、支持ワイヤ１０、補助支柱１４及び結付けワイヤ１６が屋根シート体２を支持するための支持構造４を構成しているが、このような構成に代えて、例えば、複数の円弧状支持フレーム及びこれら円弧状支持フレームの下端部間に取り付けられた結付け部材（例えば、結付けワイヤ、結付けパイプなど）により支持構造を構成するようにしてもよい。
【００２６】
この屋根シート体２によって例えばぶどうの木１２を被う場合、この屋根シート体２の下側に、図２に示すように、棚状の格子状支持構造体１８が配設される（図１においては、格子状支持構造体１８を省略して示している）。格子状支持構造体１８は、例えば、上記所定方向（図２において紙面に垂直な方向）に延びる複数の第１ワイヤ２０と、上記所定方向に対して垂直な方向（図２において左右方向）に延びる複数の第２ワイヤ２２（図２において一つのみ示す）から構成され、ぶどうの木１２から延びる蔓（図示せず）がこの格子状支持構造体１８（第１ワイヤ２０又は第２ワイヤ２２）に紐（図示せず）などを用いて括り付けられる。
【００２７】
次に、図２とともに図３及び図４を参照して、屋根シート体２について説明する。図示の屋根シート体２は、細長い矩形状のシート本体２４を備え、このシート本体２４の両側部に一対の補強帯状部２６，２８が設けられている。一対の補強帯状部２６，２８は、例えば、シート本体２４の両側部を上側から下側に折り返して溶着することによって形成され、このように構成することによって、一対の補強帯状部２６，２８においては、シート本体２４の二重構造となっている。この一対の補強帯状部２６，２８には、それらの長手方向（即ち、図３において左右方向、図４において紙面に対して垂直な方向であって、シート本体２４の長手方向）に間隔をおいて複数の紐用貫通孔３０，３２が設けられている。
【００２８】
このシート本体２４の構成は、図８（ａ）及び（ｂ）で示す従来のシート本体１２４と同様の構成でよく、この従来のシート本体１２４においてもその両側端部を上側から下側に折り返して一対の補強帯状部１２６，１２８が設けられ、これら補強帯状部１２６，１２８に間隔をおいて紐用貫通孔１３０，１３２が設けられている。尚、従来においては、紐用貫通孔１３０（１３２）内に補強短スリーブ１３１を熱圧着により取り付けるようにしたものもある。このような従来のシート本体１２４においては、その補強帯状部１２６，１２８は、シート本体１２４の折返しによる二重構造となっているので、ある程度の強度アップは図られているが、その強度アップは充分なものではない。
【００２９】
この第１の実施形態の屋根シート体２では、このシート本体２４の外側に更に帯状部材４２が配設されている。一対の補強帯状部１２６，１２８の紐用連通孔１３０，１３２は相互に対応して（換言すると、補強帯状部１２６，１２８の長手方向において実質上同じ位置に）設けられており、この帯状部材４２は、図３から理解されるように、一対の補強帯状部１２６，１２８の対応する紐用貫通孔１３０，１３２に対応して設けられている。
【００３０】
この帯状部材４２は、例えば、図４に示すように取り付けられる。帯状部材４２の一端側においては、シート本体２４の一方の補強帯状部２６を上側から下側に巻くように折り返して取り付けられ、その他端側においてはシート本体２４の他方の補強帯状部２８を上側から下側に巻くように折り返して取り付けられる。そして、シート本体２４の幅方向（図３において上下方向、図４において左右方向）における帯状部材４２の一端部に、補強帯状部２６の紐用貫通孔３０に対応して紐用連通孔４４が設けられ、補強帯状部２６の紐用貫通孔３０及び帯状部材４２の紐用連通孔４４を通して結付け用紐４６（結付け部材を構成する）が取り付けられる（図１及び図２参照）。また、この幅方向における帯状部材４２の他端部に、補強帯状部２８の紐用貫通孔３２に対応して紐用連通孔４８が設けられ、補強帯状部２８の紐用貫通孔３２及び帯状部材４２の紐用連通孔４８を通して結付け用紐５０（結付け部材を構成する）が取り付けられる（図１及び図２参照）。
【００３１】
このように構成されるので、シート本体２４の幅方向の一側部（具体的には、紐用貫通孔３０の周縁部）においては、シート本体２４の一方の補強帯状部２６におけるシート本体２４の折り返しによる二重構造と帯状部材４２の折り返しによる二重構造とが重なり合い、またその幅方向の他側部（具体的には、紐用貫通孔３２の周縁部）においても、シート本体２４の他方の補強帯状部２８におけるシート本体２４の折り返しによる二重構造と帯状部材４２の折り返しによる二重構造とが重なり合い（全体として四重構造となる）、従って、シート本体２４の紐用貫通孔３０，３２の周縁部の強度を高めることができる。加えて、帯状部材４２がシート本体２４の外側（上側）に配置されるので、風によるシート本体２４の浮き上がりを抑えることができる。
【００３２】
このような屋根シート体２においては、シート本体２４の幅方向における帯状部材４２の一端部をシート本体２４の一方の補強帯状部２６に溶着し、その幅方向における帯状部材４２の他端部をシート本体２４の他方の補強帯状部２８に溶着するようにしてもよい。また、一対の補強帯状部２６，２８の紐用貫通孔３０，３２及び帯状部材４２の紐用連通孔４４，４８を通して従来と同様の補強短スリーブ１３１（図８参照）を熱圧着するようにしてもよい。
【００３３】
このような屋根シート体２の一例として、シート本体２４の長手方向の長さは、例えば２０〜３０ｍ程度であり、その幅は、例えば１．５〜３ｍ程度であり、またその補強帯状部２６，２８に設けられる紐用貫通孔３０，３２の間隔は、例えば６０〜８０ｃｍ程度であり、更に帯状部材４２の幅は、例えば１０〜２０ｃｍ程度である。このようなシート体４及び帯状部材４２は、ハウス用に用いるビニール製のものが用いられる。
【００３４】
この屋根シート体２は、例えば、次のようにして支持構造取り付けられる。主として、図１及び図２を参照して、ビニールハウスを設置するには、まず、複数の主支柱６を所定方向に間隔をおいて設け、これら複数の主支柱６の頂部にシート載置部８を取り付け、かかるシート載置部８間に支持ワイヤ１０を張設する（支柱設置・ワイヤ張設工程）。また、これら主支柱６の両側に上記所定方向に間隔をおいて補助支柱１４を設け、これら補助支柱１４間に結付けワイヤ１６を張設し、この所定方向に延びる結付けワイヤ１６を複数の主支柱６の両側に設ける（結付け部材配設工程）。
【００３５】
また、シート本体２４の幅方向に帯状部材４２を取り付け（帯状部材取付工程）、シート本体２４の幅方向における帯状部材４２の両端部に、補強帯状部２６，２８の対応する紐用貫通孔３０，３２に対応して紐用連通孔４４，４８を設け（連通孔穿設工程）、これら補強帯状部２６，２８の紐用貫通孔３０，３２及び帯状部材４２の紐用連通孔４４，４８を通して結付け用紐４６，５０を結んで取り付ける（紐取付け工程）。
【００３６】
その後、複数の主支柱６及び支持ワイヤ１０にシート本体２４（帯状部材４２及び結付け用紐４６，５０が取り付けられたもの）を被せ（シート本体被せ工程）、この被せたシート本体２４を張りながら一方の補強帯状部２６に取り付けられた結付け用紐４６を一つずつ片側の結付けワイヤ１６に結び付け、他方の補強帯状部２８に取り付けられた結付け用紐５０を一つずつ他側の結付けワイヤ１６に結び付ける（紐結付け工程）、このようにして屋根シート体２を図２に示すように支持構造４に取り付けてビニールハウスを組み立てることができる。
【００３７】
支持構造４に取り付ける屋根シート体として図５に示すものを用いることもできる。尚、以下の実施形態において、上述した第１の実施形態と実質上同一の部材には同一の参照番号を付し、その説明を省略する。
【００３８】
屋根シート体の第２の実施形態を示す図５において、図示の屋根シート体２Ａにおいては、帯状部材４２Ａは、図５に示すように取り付けられる。帯状部材４２Ａはシート本体２４を幅方向に巻くように配設され、その一端側においては、シート本体２４の一方の補強帯状部２６を下側から上側に巻くように折り返して取り付けられ、その中間部においては、シート本体２４の他方の補強帯状部２８を巻くように折り返され、またその他端側においては、シート本体２４の一方の補強帯状部２６及び帯状部材４２Ａの一端側（即ち、その折返し部）を上側から下側に巻くように折り返して取り付けられ、帯状部材４２Ａの両端側をこのように折り返すことにより、シート本体２４と帯状部材４２Ａとの間に雨水が流入するのを防止することができる。
【００３９】
そして、このシート本体２４の幅方向（図５において左右方向）における帯状部材４２Ａの一端部（即ち、一端側の折返し部及び他端側の折返し部）に、補強帯状部２６の紐用貫通孔３０に対応して紐用連通孔４４Ａ，４５Ａが設けられ、補強帯状部２６の紐用貫通孔３０及び帯状部材４２Ａの紐用連通孔４４Ａ，４５Ａを通して結付け用紐（図示せず）が上述したと同様にして取り付けられる。また、この幅方向における帯状部材４２Ａの他端部（即ち、中間の折返し部）に、補強帯状部２８の紐用貫通孔３２に対応して紐用連通孔４８Ａが設けられ、補強帯状部２８の紐用貫通孔３２及び帯状部材４２Ａの紐用連通孔４８Ａを通して結付け用紐（図示せず）が上述したようにして取り付けられる。
【００４０】
このように構成されるので、シート本体２４の幅方向の一側部（具体的には、紐用貫通孔３０の周縁部）においては、シート本体２４の一方の補強帯状部２６におけるシート本体２４の折り返しによる二重構造と帯状部材４２Ａの一端側の折り返しによる二重構造と帯状部材４２Ａの他端側の折り返しによる二重構造とが重なり合い（全体として六重構造となる）、またその幅方向の他側部（具体的には、紐用貫通孔３２の周縁部）においては、シート本体２４の他方の補強帯状部２８におけるシート本体２４の折り返しによる二重構造と、帯状部材４２Ａの中間部の折り返しによる二重構造とが重なり合い（全体として四重構造となる）、従って、シート本体２４の紐用貫通孔３０，３２の周縁部の強度を高めることができる。加えて、帯状部材４２Ａがシート本体２４を幅方向に巻くように配設されるので、風によるシート本体２４の浮き上がりを効果的に抑えることができる。
【００４１】
このような屋根シート体２Ａにおいては、シート本体２４の幅方向における帯状部材４２Ａの両端部をシート本体２４の補強帯状部２６，２８に溶着するようにしてもよく、また、補強帯状部２６の紐用貫通孔３０及び帯状部材４２Aの紐用連通孔４４Ａ，４５Ａを通して、また補強帯状部２８の紐用貫通孔３２及び帯状部材４２Ａの紐用連通孔４８Ａを通して従来と同様の補強短スリーブ（図示せず）を熱圧着するようにしてもよい。
【００４２】
支持構造４に取り付ける屋根シート体として図６に示すものを用いることもできる。屋根シート体の第３の実施形態を示す図６において、図示の屋根シート体２Ｂにおいては、帯状部材４２Ｂは、図６に示すように取り付けられる。帯状部材４２Ｂはシート本体２４の幅方向に伸びるようにその内側に配設され、その一端側においては、シート本体２４の一方の補強帯状部２６を下側から上側に巻くように折り返して取り付けられ、またその他端側においては、シート本体２４の他方の補強帯状部２８を下側から上側に巻くように折り返して取り付けられる。
【００４３】
そして、このシート本体２４の幅方向（図６において左右方向）における帯状部材４２Ｂの一端部（即ち、一端側の折返し部）に、一方の補強帯状部２６の紐用貫通孔３０に対応して紐用連通孔４４Ｂが設けられ、またその幅方向における帯状部材４２Ｂの他端部（即ち、他端側の折返し部）に、他方の補強帯状部２８の紐用貫通孔３２に対応して紐用連通孔４８Ｂが設けられ、これら補強帯状部２６，２８の紐用貫通孔３０，３２及び帯状部材４２Ｂの紐用連通孔４４Ｂ，４８Ｂを通して結付け用紐（図示せず）（結付け部材）が上述したと同様にして取り付けられる。
【００４４】
このように構成した場合においても、シート本体２４の幅方向の一側部（具体的には、紐用貫通孔３０の周縁部）においては、シート本体２４の一方の補強帯状部２６におけるシート本体２４の折り返しによる二重構造と帯状部材４２Ｂの一端側の折り返しによる二重構造とが重なり合い（全体として四重構造となる）、またその幅方向の他側部（具体的には、紐用貫通孔３２の周縁部）においては、シート本体２４の他方の補強帯状部２８におけるシート本体２４の折り返しによる二重構造と帯状部材４２Ｂの他端側の折り返しによる二重構造とが重なり合い（全体として四重構造となる）、従って、シート本体２４の紐用貫通孔３０，３２の周縁部の強度を高めることができる。
【００４５】
支持構造４に取り付ける屋根シート体として図７に示すものを用いるようにしてもよい。屋根シート体の第４の実施形態を示す図７において、図示の屋根シート体２Ｃにおいては、帯状部材に代えて補強片６２，６４が、図７に示すように取り付けられる。補強片６２は、はシート本体２４の一方の補強帯状部２６に設けられた紐用貫通孔３０に対応して設けられ、シート本体２４の一方の補強帯状部２６を挟むように折り返して取り付けられ、また補強片６４は、その他方の補強帯状部２８を挟むように折り返して取り付けられる。
【００４６】
そして、一方の補強帯状部２６側の補強片６２では、この補強帯状部２６の紐用貫通孔３０に対応して紐用連通孔４４Ｃが設けられ、また他方の補強帯状部２８側の補強片６４では、この補強帯状部２８の紐用貫通孔３２に対応して紐用連通孔４８Ｃが設けられ、これら補強帯状部２６，２８の紐用貫通孔３０，３２及び補強片６２，６４の紐用連通孔４４Ｃ，４８Ｃを通して結付け用紐（図示せず）（結付け部材）が上述したと同様にして取り付けられる。
【００４７】
このように構成した場合においては、シート本体２４の幅方向の一側部（具体的には、紐用貫通孔３０の周縁部）においては、シート本体２４の一方の補強帯状部２６におけるシート本体２４の折り返しによる二重構造と補強片６２の折り返しによる二重構造とが重なり合い（全体として四重構造となる）、またその幅方向の他側部（具体的には、紐用貫通孔３２の周縁部）においては、シート本体２４の他方の補強帯状部２８におけるシート本体２４の折り返しによる二重構造と補強片６４の折り返しによる二重構造とが重なり合い（全体として四重構造となる）、従って、シート本体２４の紐用貫通孔３０，３２の周縁部の強度を高めることができる。
【００４８】
以上、本発明に従う屋根シート体２（２Ａ〜２Ｃ）の各種実施形態及びこの屋根シート体２の敷設方法の一例について説明したが、本発明はこれら実施形態などに限定されるものではなく、本発明の範囲を逸脱することなく種々の変更乃至修正が可能である。
【００４９】
例えば、上述した実施形態では、帯状部材４２（４２Ａ，４２Ｂ）をシート本体２４に取り付ける際にその一端側及び他端側を折り返して二重構造となるように構成しているが、その一端側及び他端側を折り返すことなくそのままシート本体２４に取り付けるようにしてもよく、この場合、帯状部材４２（４２Ａ，４２Ｂ）の一端側及び他端側は一重構造となり、紐用貫通孔３０，３２の周縁部の強度が二重構造よりも弱くなる。尚、補強片６２，６４についてもシート本体２４に取り付ける際に折り返して二重構造としているが、その折り返すことなくそのままシート本体２４に取り付けるようにしてもよい。
【００５０】
また、例えば、上述した実施形態では、屋根シート体２（２Ａ〜２Ｃ）を農業用ビニールハウスに適用して説明したが、その用途については、一般的な農業用ビニールハウスに広く適用することができるとともに、農業用のみならず、倉庫用のテントハウス、運送用のテントハウスなどにも広く適用することができる。
【符号の説明】
【００５１】
２  屋根シート体
４  支持構造
６  主支柱
１０  支持ワイヤ
１４  補助支柱
２４，１２４  シート本体
２６，２８，１２６，１２８  補強帯状部
３０，３２，１３０，１３２  紐用貫通孔
４２，４２Ａ，４２Ｂ  帯状部材
４４，４４Ａ，４４Ｂ，４４Ｃ，４５Ａ，４８，４８Ａ，４８Ｂ，４８Ｃ  紐用連通孔
４６，５０  結付け用紐
６２，６４  補強片
【図１】
2019187344.tif 000003
【図２】
2019187344.tif 000004
【図３】
2019187344.tif 000005
【図４】
2019187344.tif 000006
【図５】
2019187344.tif 000007
【図６】
2019187344.tif 000008
【図７】
2019187344.tif 000009
【図８】
2019187344.tif 000010